(57)【要約】【課題】上衣に下衣との連結のための連結具を取り付ける縫い目が外側から見えないセパレートタイプの衣服を提供すること。【解決手段】第１の連結具５を有する上衣２と、第１の連結具５に係合する第２の連結具１０を有する下衣３とを含む衣服１であって、第１の連結具５が、第１の連結具５を備えるテープ状基材４と、テープ状基材４を備える補助布帛１２とを介して上衣２の内側に取り付けられており、そして第２の連結具１０が、第１の連結具５と係合する位置において、下衣３の外側に取り付けられていることを特徴とする衣服１。【選択図】図２
2014040695.tif 000002
【特許請求の範囲】
【請求項１】
第１の連結具を有する上衣と、第１の連結具に係合する第２の連結具を有する下衣とを含む衣服であって、
第１の連結具が、第１の連結具を備えるテープ状基材と、前記テープ状基材が取り付けられた補助布帛とを介して前記上衣の内側に取り付けられており、そして
第２の連結具が、第１の連結具と係合する位置において、前記下衣の外側に取り付けられていること、
を特徴とする、前記衣服。
【請求項２】
前記補助布帛が、前記上衣と独立した布帛パーツである、請求項１に記載の衣服。
【請求項３】
前記補助布帛が、その一部を前記上衣の内側の縫い目部分に縫い付け、そして／又は折り曲げ部分に縫い込むことにより、前記上衣の内側に取り付けられている、請求項１又は２に記載の衣服。
【請求項４】
前記上衣が、前身頃及び後身頃を含み、前記補助布帛が、前記前身頃又は後身頃と一体のパーツである、請求項１に記載の衣服。
【請求項５】
前記上衣が裏地を有し、前記補助布帛のすくなくとも一部が、前記裏地に取り付けられている、請求項１〜４のいずれか一項に記載の衣服。
【請求項６】
前記補助布帛が、前記上衣の内側に、接着又は溶着により取り付けられている、請求項１〜４のいずれか一項に記載の衣服。
【請求項７】
第１の連結具を前記上衣の左右２カ所に有し、それに対応して第２の連結具を前記下衣の左右２カ所に有する、請求項１〜６のいずれか一項に記載の衣服。
【請求項８】
前記上衣の左右２カ所にそれぞれ複数の第１の連結具を備え、そして前記下衣の左右２カ所にもそれぞれ複数の第２の連結具を備えている、請求項１〜７のいずれか一項に記載の衣服。
【請求項９】
第１の連結具及び第２の連結具が、一対のスナップボタンで構成されている、請求項１〜８のいずれか一項に記載の衣服。
【請求項１０】
スポーツ用衣服である、請求項１〜９のいずれか一項に記載の衣服。
【請求項１１】
前記スポーツ用衣服が水着である、請求項１０に記載の衣服。
【発明の詳細な説明】
【技術分野】
【０００１】
本発明は、上衣と下衣とに分かれたセパレートタイプの衣服に関する。より詳しく言えば、本発明は、上衣と下衣の双方にそれらをずれないようにつなぐ連結具を備えたセパレートタイプの衣服であって、連結具を衣服に取り付ける縫い目を外側から見えなくした、美観的に優れた衣服に関する。
【背景技術】
【０００２】
従来、上衣及び下衣を含む衣服、例えば、スポーツ用衣服では、運動時に上衣が捲れ、腹部が露出する場合があった。また、上衣及び下衣に分かれたセパレートタイプの水着は、ワンピースタイプの水着と比較して脱着がしやすいことから人気があるが、アクアエクササイズ等、水中で激しく動く際に、運動及び水流に起因して、腹部が露出する場合があり、ユーザーに敬遠されることがあった。
【０００３】
上記問題点を改良するため、特許文献１〜３には、スナップボタン等の連結具により、上衣及び下衣を互いに固定することができるスポーツウェアが開示されている。
【先行技術文献】
【特許文献】
【０００４】
【特許文献１】実用新案登録第３１１１３００号公報
【特許文献２】特開２００６−８９９０１号公報
【特許文献３】特開２０１１−１６２８９６号公報
【発明の概要】
【発明が解決しようとする課題】
【０００５】
連結具を備えたこれまでのセパレートタイプの衣服では、連結具の取り付けは、連結具を予め取り付けたテープ状基材を生地に縫い付けることで行われている。この場合、上衣に取り付けた連結具を衣服の外側から見たところを模式的に示した図９のように、衣服を着用した状態において、衣服２の外側から、連結具５１及びテープ状基材５２は見えないものの、縫い目５３が見えてしまう。ファッション性を追求する商品の場合、外観から体のラインを隠すためのボタンや縫い目がわずかでも見えるようなものは、商品価値が非常に低くなるため、わずかな縫い目も外側から認識されないような技術が強く求められている。
【０００６】
本発明は、ユーザーからの上記要望を満足させて、連結具を上衣に取り付ける縫い目が外側から見えないセパレートタイプの衣服を提供することを目的とする。
【課題を解決するための手段】
【０００７】
本発明者は、上記の課題を解決するために鋭意検討した結果、第１の連結具を有する上衣と、第１の連結具に係合する第２の連結具を有する下衣とを含む衣服であって、第１の連結具が、第１の連結具を備えるテープ状基材と、上記テープ状基材を備える補助布帛とを介して上記上衣の内側に取り付けられており、そして第２の連結具が、第１の連結具と係合する位置において、上記下衣の外側に取り付けられていることを特徴とする衣服を見いだした。
【０００８】
具体的には、本発明の要旨とするところは次のとおりである。
（１）第１の連結具を有する上衣と、第１の連結具に係合する第２の連結具を有する下衣とを含む衣服であって、
第１の連結具が、第１の連結具を備えるテープ状基材と、上記テープ状基材が取り付けられた補助布帛とを介して上記上衣の内側に取り付けられており、そして
第２の連結具が、第１の連結具と係合する位置において、上記下衣の外側に取り付けられていること、
を特徴とする、上記衣服。
【０００９】
（２）上記補助布帛が、上記上衣と独立した布帛パーツである、（１）に記載の衣服。
（３）上記補助布帛が、その一部を上記上衣の内側の縫い目部分に縫い付け、そして／又は折り曲げ部分に縫い込むことにより、上記上衣の内側に取り付けられている、（１）又は（２）に記載の衣服。
【００１０】
（４）上記上衣が、前身頃及び後身頃を含み、上記補助布帛が、上記前身頃又は後身頃と一体のパーツである、（１）に記載の衣服。
（５）上記上衣が裏地を有し、上記補助布帛のすくなくとも一部が、上記裏地に取り付けられている、（１）〜（４）のいずれか一項に記載の衣服。
【００１１】
（６）上記補助布帛が、上記上衣の内側に、接着又は溶着により取り付けられている、（１）〜（４）のいずれか一項に記載の衣服。
（７）第１の連結具を上記上衣の左右２カ所に有し、それに対応して第２の連結具を上記下衣の左右２カ所に有する、（１）〜（６）のいずれか一項に記載の衣服。
【００１２】
（８）上記上衣の左右２カ所にそれぞれ複数の第１の連結具を備え、そして上記下衣の左右２カ所にもそれぞれ複数の第２の連結具を備えている、（１）〜（７）のいずれか一項に記載の衣服。
（９）第１の連結具及び第２の連結具が、一対のスナップボタンで構成されている、（１）〜（８）のいずれか一項に記載の衣服。
【００１３】
（１０）スポーツ用衣服である、（１）〜（９）のいずれか一項に記載の衣服。
（１１）上記スポーツ用衣服が水着である、（１０）に記載の衣服。
【００１４】
本明細書において、「内側」とは、ユーザーが衣服を着用した状態において、上衣又は下衣のユーザーの身体に面する側を意味し、「外側」とは、上衣又は下衣の内側とは反対側、すなわち外気に面する側を意味する。
【発明の効果】
【００１５】
本発明によれば、連結具を備えるテープ状基材を取り付けた補助布帛を用い、この補助布帛を上衣の内側に連結させるようにしており、これにより上衣に連結具を取り付けるための縫い目が上衣の外側から見えなくなっている。
【図面の簡単な説明】
【００１６】
【図１】本発明の衣服の実施態様の一つの斜視図である。
【図２】図１の衣服において、上衣の一部が裏返された状態を示す図である。
【図３】本発明における補助布帛の一例を説明する図である。
【図４】本発明における補助布帛のさらなる例を説明する図である。
【図５】本発明の衣服の別の実施形態の斜視図である。
【図６】図５の衣服において、上衣の一部が裏返された状態を示す図である。
【図７】図５の衣服における補助布帛を説明するための図である。
【図８】本発明における補助布帛のさらなる例を説明する図である。
【図９】従来の衣服の上衣に取り付けた連結具を外側から見たところを模式的に示す図である。
【発明を実施するための形態】
【００１７】
本発明の衣服について、以下、必要に応じて図面を参照して、詳細に説明する。
図１は、本発明の衣服の実施態様の一つの斜視図である。図１の衣服１は、上衣２及び下衣３を含むセパレートタイプの水着であり、上衣２の内側の第１の連結具５を下衣の外側の第２の連結具（図示せず）に係合させ、上衣２と下衣３とを連結した状態を示している。なお、図１の斜視図において、図示していない下衣側の連結具と対をなす上衣側の第１の連結具５は衣服の左側のものだけが示されているが、上衣側の第１の連結具と下衣側の第２の連結具との対は、上衣の捲れを防止するという目的上、衣服の右側にも設けられることが好ましい。また、図１において、符号６、７及び８は、それぞれ、ファスナー、縫製部及び縫合部を示している。
【００１８】
図２は、図１の衣服において、上衣が一部裏返された状態（上衣側の第１の連結具と下衣側の第２の連結具とを係合させる前、あるいはそれらの係合を解いた後の状態）を示す図である。第１の連結具５は、テープ状基材４に予め取り付けられたものを利用することができる。本発明では、このテープ状基材４を補助布帛１２に取り付け、第１の連結具５が上衣２と下衣３とを連結する際に下衣３側の第２の連結具１０と係合する位置にくるように、補助布帛１２を上衣２の内側に取り付ける。
【００１９】
第１の連結具５を備えたテープ状基材４の補助布帛１２への取り付けは、テープ状基材４を補助布帛に縫い付けること（縫製）により行うのが簡単であり、好ましい。また、例えば、接着、溶着等の方法でテープ状基材４を補助布帛１２に取り付けることもでき、そして縫製と、接着、溶着等とを併用することができる。
補助布帛１２の上衣２の内側への取り付けは、縫製により、そして／又は接着、溶着等により行うことができる。
【００２０】
本発明において、補助布帛１２は、例えば、上衣２と独立した布帛パーツであることができる。あるいは、補助布帛１２は、上衣２の前身頃又は後身頃と一体のパーツであることができる、すなわち、上衣２の前身頃又は後身頃から連続するパーツであることができる。
【００２１】
上衣と独立した布帛パーツである補助布帛１２を、縫製により上衣２の内側に取り付ける場合には、例えば、補助布帛１２の少なくとも一部、例えば、その１辺を上衣２の裾折り曲げ部１３に縫合し、他の１辺を上衣２の前後身頃の縫い目部分（縫合部）８に縫い付けることができる。こうすることで、第１の連結具５を上衣２に取り付けるための縫い目が、連結具５を備えたテープ状基材４を補助布帛１２に取り付けるための縫い目を含めて、上衣２の外側に現れることがなくなり、ユーザーが、衣服１を着用した状態において美観的に美しい状態を作り出すことができる。
【００２２】
接着、溶着等により補助布帛を上衣２に取り付ける場合には、補助布帛１２を上衣２の内側の所定の位置に配置して、慣用の接着剤を用いる等により、補助布帛１２を上衣２の内側に取り付けることができる。
補助布帛１２が前身頃又は後身頃と一体のパーツである場合には、補助布帛１２を、慣用の接着剤を用いる等により、上衣２の内側に取り付けることができる。
【００２３】
また、補助布帛１２が前身頃又は後身頃と一体のパーツである場合であって、上衣の前身頃及び後身頃の少なくとも一方が裏地を有するときには、補助布帛１２の少なくとも一部を、上記裏地に縫い付けることができる。
また、補助布帛１２は、その他の部分で上記上衣の内側の縫い目部分に縫い付け、そして／又は折り曲げ部分に縫い込むことにより上記上衣の内側に連結させることができる。
【００２４】
図３は、補助布帛１２が上衣２と独立した布帛パーツである実施形態を説明するための図である。なお、図３においては、簡単にするため縫い目は図示していない。
【００２５】
図３に示される実施形態では、補助布帛１２の形状は、直角三角形であるが、本発明の別の実施形態では、補助布帛は、直角三角形の斜辺１５を直線でなく任意の曲線状にしたような擬似三角形等とすることができる。
直角三角形、擬似三角形等の補助布帛は、斜辺部分が上衣に取り付けられていない場合に、補助布帛が捲れるのを最小限度に抑える効果を有する。
【００２６】
図３では、上衣２の前後身頃の縫い目部分（縫合部）８が、裾折り曲げ部１３に対し直角をなしているため、直角三角形の補助布帛１２を用いているが、例えば、縫合部８が裾折り曲げ部１３に対し直角以外の角度を形成している場合は、補助布帛１２はそれに応じて直角三角形以外の三角形（又は擬似三角形）の形状を取ることがある。あるいは、縫合部８が図３に示したように直線状でなく、曲線状である場合は、補助布帛１２の縫合部８に縫い付けられる辺も、縫合部８の曲線に応じた形状をとることがある。
【００２７】
上衣２が裏地（図示せず）を有する場合には、補助布帛１２を上衣２の裏地に取り付けることも可能である。
【００２８】
補助布帛１２としては、それを介して第１の連結具５を上衣２の所定の位置に固定することを可能にする限り、任意の素材の生地を用いることができる。特に衣服が水着の場合は、補助布帛が余分な水を溜めるのを防ぐ目的で、メッシュ状の生地を用いるのが好適である。
【００２９】
図４は、本発明における補助布帛のさらなる例を説明する図である。図４に示される実施形態では、後身頃２１は裏地を有せず、前身頃（図示せず）が裏地２’を有している。補助布帛１２は、前身頃と一体である擬似三角形のパーツによって構成されており、そして外側に膨らんだ曲線状の斜辺１５を有している。そして補助布帛１２は、縫合部８から前身頃側に折り返して、斜辺１５を前身頃の裏地２’に縫い付け、他の１辺（下辺）を前身頃の裾折り曲げ部１３に縫い込むことにより、上衣の内側に取り付けられている。
【００３０】
このようにして、第１の連結具５を上衣２に連結させるための縫い目が、連結具５を備えたテープ状基材４を補助布帛１２に取り付けるための縫い目を含めて、上衣２の外側に現れることがなくなり、ユーザーが衣服１を着用した状態において美観的に美しい状態を作り出すことができる。図４においても、簡単にするため縫い目は図示していない。
【００３１】
上衣の前身頃及び後身頃が裏地を有しない場合は、補助布帛１２を、前身頃又は後身頃の裏側に接着又は溶着により連結させることにより、上衣の内側に取り付けることができる。
【００３２】
本発明においては、上述のように、上衣側の第１の連結具と下衣側の第２の連結具との対は、上衣の捲れを防止するという目的上、衣服の左右両側に設けられるべきである。この場合において、双方の対の上衣側の第１の連結具を前身頃又は後身頃のいずれか一方の布帛材料の一部である補助布帛に取り付けてもよく、あるいは、一方の対の上衣側の第１の連結具は前身頃の布帛材料の一部である補助布帛に取り付け、もう一方の対の上衣側の第１の連結具は後身頃の布帛材料の一部である補助布帛に取り付けるようにしてもよい。
【００３３】
下衣３側の第２の連結具１０（図２）は、やはりテープ状基材９に予め取り付けられたものを利用することができる。テープ状基材９の下衣３への取り付けは、取り付けのための縫い目を気に掛ける必要がないため、下衣３に直接縫い付ける、接着、溶着する等の任意の方法で行うことができる。例えば、特許文献３に記載されるように、下衣側の連結具１０のためのテープ状基材９を、連結具１０の係合されない側と下衣３との間に指を入れることができるように下衣３の外側に取り付けると、上衣及び下衣の連結を痛みを感じることなく行うことができ、好適である。
【００３４】
図５は、本発明の衣服の別の実施形態の斜視図である。図５の衣服１は、上衣２及び下衣３を含むセパレートタイプの水着であり、Ａラインシルエットのチュニック丈水着である。図５に示される衣服１では、上衣２の内側の第１の連結具５を下衣の外側の第２の連結具（図示せず）に係合させ、上衣２と下衣３とを連結した状態が示されている。なお、図５の斜視図において、図示していない下衣側の連結具と対をなす上衣側の第１の連結具５は衣服の左側のものだけが示されているが、上衣側の第１の連結具と下衣側の第２の連結具との対は、上衣の捲れを防止するという目的上、衣服の右側にも設けられることが好ましい。また、図５において、符号６、７及び８は、それぞれ、ファスナー、縫製部及び縫合部を示している。
【００３５】
図６は、図５の衣服において、上衣が一部裏返された状態（上衣側の第１の連結具と下衣側の第２の連結具とを係合させる前、あるいはそれらの係合を解いた後の状態）を示す図である。第１の連結具５は、テープ状基材４に予め取り付けられたものを利用することができる。本発明では、このテープ状基材４を補助布帛１２に取り付け、第１の連結具５が上衣２と下衣３とを連結する際に下衣３側の第２の連結具１０と係合する位置にくるように、補助布帛１２を上衣２の内側に取り付ける。
【００３６】
第１の連結具５を備えたテープ状基材４の補助布帛１２への取り付けは、テープ状基材４を補助布帛に縫い付けること（縫製）により行うのが簡単であり、好ましい。また、例えば、接着、溶着等の方法でテープ状基材４を補助布帛１２に取り付けることもでき、そして縫製と、接着、溶着等とを併用することができる。
図６に示される衣服１では、補助布帛１２は、上衣２と独立した布帛パーツであるが、本発明の衣服の別の実施形態では、補助布帛は、上衣と一体のパーツ、例えば、上衣の前身頃又は後身頃と一体のパーツである。
【００３７】
図７は、図５の衣服１における補助布帛を説明するための図である。図５において、補助布帛１２は略矩形であり、そして補助布帛１２の長辺の１つが、上衣２の前後身頃の縫い目部分である縫合部８に縫い付けられている。図７に示される補助布帛１２は、１つの長辺及び２つの短辺が上衣２に取り付けられていない。
【００３８】
図７に示される補助布帛１２では、第１の連結具５を備えるテープ状基材４が、補助布帛１２に取り付けられ、具体的には、縫合部７を介して補助布帛１２に縫い付けられている。
図７に示される実施形態では、補助布帛１２が長辺の１つのみで上衣２に固定されているため、自由に動くことができ、そして補助布帛１２に固定された第１の連結具５がまた、自由に動くことができ、着用時にユーザーが大きな動作をしても、第１の連結具５と、第２の連結具１０（図示せず）との係合が外れにくく、上衣２が捲れにくい。
また、図７に示される実施形態は、Ａラインシルエットのチュニック丈水着のフワッととした着用感を維持しながら、捲れを防止することができる。
【００３９】
図８は、本発明における補助布帛のさらなる例を説明するための図である。図８に示される補助布帛１２は略台形を有し、そして上底が上衣２の前後身頃の縫い目部分である縫合部８に縫い付けられている以外は、図７に示される補助布帛１２と同一である。
図８に示されるような実施形態では、補助布帛１２が上底のみで上衣２に固定されているため、図７に示される実施形態よりも自由に動くことができ、そして補助布帛１２に固定された第１の連結具５がまた、図７に示される実施形態よりも自由に動くことができ、着用時にユーザーが大きな動作をしても、第１の連結具５と、第２の連結具１０（図示せず）との係合が外れにくく、上衣２が捲れにくい。
また、図８に示される実施形態は、図７に示される実施形態と同様に、Ａラインシルエットのチュニック丈水着のフワッととした着用感を維持しながら、捲れを防止することができる。
【００４０】
図２では、上衣側の第１の連結具５及び下衣側の第２の連結具１０の個数は、それぞれ２個であるが、本発明においては、第１及び第２の連結具の個数は特に制限されず、それぞれ独立して、１個又は複数、例えば、２個、３個若しくは４個以上であることができる。第１及び第２の連結具はそれぞれ複数個であること、すなわち複数対の連結具を用いることが好ましい。１対が破損しても、ほかの対の連結具がそれを補完することができるからである。
【００４１】
また、上衣２と下衣３が複数の連結具を有する実施形態は、特に第１の連結具及び第２の連結具が丈方向に配列される場合に、第１の連結具と、対になる第２の連結具をずらして係合させることができ、ユーザーの個人差、特に身長差に適合するサイズ調節機能を有することができる。本明細書において、「丈方向」とは、ユーザーの頭から足にかけての方向を意味する。
【００４２】
補助布帛１２に取り付ける第１の連結具５を複数とする場合、連結具を備えたテープ状基材４は１つであっても複数であってもよい。例えば、補助布帛１２に２個の連結具を取り付ける場合は、補助布帛１２には連結具５を１個ずつ備えた基材状テープを２つ取り付けることができ、３個の連結具５を取り付ける場合は、連結具５を１個ずつ備えたテープ状基材を３つ取り付けてもよく、あるいは連結具５を１個備えたテープ状基材と２個備えたテープ状基材とを１つずつ取り付けることもできる。
【００４３】
また、図１〜図８では、第１の連結具５及び第２の連結具１０が、それぞれ丈方向に配置されるように取り付けられているが、本発明においては、上記方向は特に限定されず、第１の連結具及び／又は第２の連結具が、例えば、丈方向、丈方向に対し３０°の角度を有する方向、丈方向に対し４５°の角度を有する方向、丈方向に対し６０°の角度を有する方向、丈方向に対し９０°の角度を有する方向（水平方向）等に配置されるように、上衣及び／又は下衣に取り付けられてもよい。
【００４４】
図１〜８に示される実施形態では、第１の連結具及び第２の連結具がスナップである。上記スナップとしては、例えば、スナップボタン、スナップリング、アメリカンスナップ等が挙げられるが、これらに限定されるものではない。また、本発明において、「スナップ」には、ホックが含まれる。
【００４５】
本発明における第１の連結具及び第２に連結具は、スナップに限らず、力を加えることにより互いに係合させることができるものであれば、特に制限されない。例えば、面ファスナー等を、第１の連結具及び第２の連結具として用いることも可能である。面ファスナーは、機械的結合を用いたファスナーであり、例えば、表面に複数の突起、例えば、鉤状、きのこ状、錨状の突起が形成されたフック部と、表面に複数のループが配置されたループ部とを組み合わせたものを挙げることができる。面ファスナーは、フック部の複数のフックを、ループ部の複数のループに係合させることにより、２つの部位を剥離可能なように固定することができる。
【００４６】
第１の連結具及び第２の連結具は、一対の連結具として用いられるものであり、例えば、第１の連結具及び第２の連結具がスナップである場合には、第１の連結具が凸部材であり、そして第２の連結具が凹部材であってもよく、あるいは第１の連結具が凹部材であり、そして第２の連結具が凸部材であってもよい。同様に、第１の連結具及び第２の連結具が面ファスナーである場合には、第１の連結具がフック部を有する部材であり、そして第２の連結具がループ部を有する部材であってもよく、又は第１の連結具がループ部を有する部材であり、そして第２の連結具がフック部を有する部材であってもよい。
【００４７】
第１及び第２の連結具を備えたテープ状基材４、９は、衣服に一般的に用いられる基材であり且つ第１の連結具及び第２の連結具を保持することができるものであれば、特に制限されるものではなく、例えば、テープ状の織物、編物等を挙げることができる。第１の連結具及びテープ状基材の組み合わせ、又は第２の連結具及びテープ状基材の組み合わせが、例えば、モリト株式会社からテーピースナッパー（商標）の名称で市販されており、これを用いてもよい。
【００４８】
本発明の衣服は、一対の上衣及び下衣を有するものであれば、特に制限されず、例えば、日常生活用の衣服、スポーツ用衣服が挙げられる。これらの衣服の中では、スポーツ用衣服が好ましい。スポーツ用衣服の場合は、ユーザーの激しい動きによって上衣が捲れる可能性が大きいからである。
【００４９】
スポーツ用衣服としては、特に制限されないが、例えば、陸上競技、野球、ソフトボール、テニス、ハンドボール、体操、卓球、バドミントン、サッカー、バスケットボール、バレーボール、自転車、スキー、スノーボード、スケート、水泳、ボートレース用の衣服を始め、持久系スポーツ、ランニング、ウォーキング、トレッキング、登山、ゴルフ等用の衣服が挙げられる。
【００５０】
スポーツ用衣服のなかでも、特に水着が好ましい。水着は一般的に体にフィットし、特に水中でのユーザーの運動と水流に起因して、上衣が捲れ易いからである。
【００５１】
本発明の衣服において、上衣は、下衣と重なり合う部分があれば、それ以外は特に制限されず、例えば、袖に関しては、半袖、五分袖、七分袖、長袖等であることができ、そして身丈に関しては、例えば、ウエストまで、腹囲まで、ヒップまで、そして大腿部までであることができる。図１に例示した水着では、上衣２はファスナー６を有し、前部を開いて着脱することができるが、本発明に用いられる上衣においてファスナーは必須ではない。また、本発明の衣服において、下衣は、上衣と重なり合う部分があれば、それ以外は特に制限されないが、身丈に関しては、例えば、股下まで、膝上まで、膝下まで、足首まで、そして足までであることができる。
【００５２】
本発明の衣服において、上衣及び下衣の素材は、衣服において通常用いられる素材であれば、特に制限されず、例えば、天然繊維及び合成繊維に由来する、織物、編物等を挙げることができる。
【００５３】
以下、実施例により本発明を更に説明する。
【実施例】
【００５４】
図１、２に示されるような、上衣の外側に連結具取り付け用の縫い目のない本発明による水着と、上衣の外側に連結具取り付け用の縫い目が現れた従来の水着を用意し、それぞれを複数名のモニターに試着してもらった。本発明による水着としては、上衣と独立した布帛パーツである補助布帛を用いたものと、上衣の前身頃と後身頃との縫合部からはみ出した前身頃の布帛材料によって構成される補助布帛を用いたものの２種類を用意した。本発明による水着でも、従来の水着でも、連結具を備えた基材状テープは同一のものを使用した。
【００５５】
モニターに試着した上での外観について尋ねると、従来の水着と比較して、本発明による水着の方が美観的に優れており、好ましいとの回答を得た。
また、プールに入り運動してもらった後に尋ねると、運動機能上はどちらの水着も違いがないとの回答を得た。
【符号の説明】
【００５６】
１    衣服
２    上衣
２’    上衣の裏地
３    下衣
４，９    テープ状基材
５    第１の連結具
６    ファスナー
７    縫製部
８    縫合部
１０    第２の連結具
１２    補助布帛
１３    裾折り曲げ部
１５    斜辺
【図１】
2014040695.tif 000003
【図２】
2014040695.tif 000004
【図３】
2014040695.tif 000005
【図４】
2014040695.tif 000006
【図５】
2014040695.tif 000007
【図６】
2014040695.tif 000008
【図７】
2014040695.tif 000009
【図８】
2014040695.tif 000010
【図９】
2014040695.tif 000011